(57)【要約】【課題】デジタル多重化放送を受信する受信装置に内蔵された時計機能の時刻を自動的に補正して、ユーザの混乱を解消するとともに、時刻合わせの手間を省く。【解決手段】ＤＡＢ受信機１のＣＰＵ１１は、時刻データ表示処理において、ＤＡＢの電波を受信した場合に、ＤＡＢ受信部１７によりこの電波に復調処理やデジタル変換処理を施してＦＩＧデータを取得し、記憶装置１４に記憶された時刻の設定方法のデータに従ってＦＩＧデータからＬＴＯまたはＵＴＣのデータを抽出する。そして、この抽出したデータにより時計回路１５により計時された時刻データを修正し、修正後の時刻データを表示部１３に表示させる。なお、入力部１２を介してアンサンブルを変更する指示入力があった場合には、受信するアンサンブルを変更し、時刻データ表示処理を最初から再実行する。【選択図】　　　　　図１
2004056618.tif 000002
【特許請求の範囲】
【請求項１】
時刻を計時する計時手段とデジタル多重化放送電波を受信する受信手段とを備えた受信装置において、
前記受信手段により受信されたデジタル多重化放送電波から時刻データを検出する検出手段と、
前記検出手段により検出された時刻データに基づいて前記計時手段により計時される時刻を修正する時刻修正手段と、
を備えることを特徴とする受信装置。
【請求項２】
前記検出手段は、前記受信手段により受信されたデジタル多重化放送電波から世界協定時を示す時刻データ及び局地的な時間を示す時刻データの一方又は双方を検出し、
前記時計修正手段は、前記検出手段により検出された世界協定時を示す時刻データ及び局地的な時間を示す時刻データの一方又は双方に基づいて、前記計時手段により計時される時刻を修正することを特徴とする請求項１記載の受信装置。
【発明の詳細な説明】
【０００１】
【発明の属する技術分野】
本発明は、ＤＡＢ（Ｄｉｇｉｔａｌ　Ａｕｄｉｏ　Ｂｒｏａｄｃａｓｔｉｎｇ）等のデジタル放送用の受信装置に関するものである。
【０００２】
【従来の技術】
欧州で実用放送されているデジタル多重化放送は、車載ステレオ等の移動体でも安定したデータ受信が可能であり、音質が優れているため、近い将来世界のより広い地域で実用化されることが期待されている。ＤＡＢ等のデジタル多重化放送では、複数のサービスが１つのアンサンブルにまとめられ、各アンサンブルは所定の搬送周波数を割り当てられて送信局から送信される。この送信局から送信される電波には、時刻を示すデータが含まれている。
【０００３】
一方、従来のデジタル多重化放送の受信装置には、時刻を表示する時計機能を備えたものがある。このような時計機能では、一般的に水晶振動子を備えた発振器から発振される信号を分周して時刻が刻まれて表示部に表示されている。
【０００４】
【発明が解決しようとする課題】
しかしながら、上記の様な従来の受信装置においては、内蔵の時計機能において、発振器からの発振周波数は時刻の計数単位と厳密には一致していないため、時間の経過に伴い、送信局から受信した電波から検出される実際の時刻と上記時計機能により計時される時刻との間に誤差が生じる。このため、時計機能により計時されて表示部に表示される時刻と、送信局から受信される電波から検出される時刻とが異なる現象が起きる。
【０００５】
また、受信装置が車載ステレオ等の移動体である場合には、時刻が異なる地域に移動すると、時計機能に地域ごとの時差が反映されないため、時計機能により計時されて表示部に表示される時刻と送信局から受信され電波から得られる時刻との間に差が生じる。
【０００６】
以上のようなデジタル多重化方送の受信装置に表示される時刻と送信局からの受信電波に基づく時刻との不一致は、ユーザの混乱を招いていた。また、表示された時刻と実際の時刻との間にずれが生じる度に時計機能の時刻合わせを行わなければならず、時刻の修正作業が煩雑であった。
【０００７】
本発明は、デジタル多重化放送を受信する受信装置に内蔵された時計機能の時刻を自動的に補正して、ユーザの混乱を解消するとともに、時刻合わせの手間を省くことを目的とするものである。
【０００８】
【課題を解決するための手段】
このような課題を解決するため、本発明は、時刻を計時する計時手段とデジタル多重化放送電波を受信する受信手段とを備えた受信装置において、
前記受信手段により受信されたデジタル多重化放送電波から時刻データを検出する検出手段と、
前記検出手段により検出された時刻データに基づいて前記計時手段により計時される時刻を修正する時刻修正手段と、
を備えることを特徴としている。
【０００９】
更に本発明は、前記検出手段は、前記受信手段により受信されたデジタル多重化放送電波から世界協定時を示す時刻データ及び局地的な時間を示す時刻データの一方又は双方を検出し、前記時計修正手段は、前記検出手段により検出された世界協定時を示す時刻データ及び局地的な時間を示す時刻データの一方又は双方に基づいて、前記計時手段により計時される時刻を修正することが好ましい。
【００１０】
【発明の実施の形態】
以下、図１〜図６を参照して、本発明を適用した一実施の形態によるＤＡＢ受信機１について説明する。
【００１１】
まず、構成を説明する。
図１は、本発明の一実施の形態によるＤＡＢ受信機１の機能的構成を示すブロック図である。ＤＡＢ（Ｄｉｇｉｔａｌ　Ａｕｄｉｏ　Ｂｒｏａｄｃａｓｔｉｎｇ）では、複数のアンサンブル（Ｅｎｓｅｍｂｌｅ）のデータが所定の搬送周波数を割り当てられて、ＤＡＢ送信局２から送信される。アンサンブルとは、複数のサービスが１つにまとめられたものであり、各サービス（Ｓｅｒｖｉｃｅ）には、１つ又は複数のサービス成分（Ｓｅｒｖｉｃｅ　Ｃｏｍｐｏｎｅｎｔ）が含まれる。ＤＡＢ受信機１は、１つのアンサンブルの電波を受信して、このアンサンブルに含まれる複数のサービスのうちユーザにより選択されたサービスを出力する。
【００１２】
図１に示すように、ＤＡＢ受信機１は、ＣＰＵ１１、入力部１２、表示部１３、記憶装置１４、時計回路１５、セレクタ１９がバス２０を介して接続され、セレクタ１９を介して音声発音部１６、ＤＡＢ受信部１７、音源駆動部１８が接続されることにより構成される。
【００１３】
ＣＰＵ（Ｃｅｎｔｒａｌ　Ｐｒｏｃｅｓｓｉｎｇ　Ｕｎｉｔ）１１は、入力部１２やＤＡＢ受信部１７から入力される指示に応じて、記憶装置１４に格納されたＤＡＢ受信機用の各種処理プログラムに従って各種の制御動作を行う。具体的には、ＣＰＵ１１は、記憶装置１４から時刻データ表示処理プログラムを読み出して後述する時刻データ表示処理を実行する。
なお、ＣＰＵ１１は、請求項に記載の検出手段及び時刻修正手段としての機能を有する。
【００１４】
ここで、図３〜図５を参照して時刻データ表示処理の説明の前提としてＤＡＢの構造について説明する。なお、図３〜図５はＤＡＢの周知の規格図であり、詳細はＤＡＢの規格を参照されたい。
【００１５】
図３は、ＤＡＢの送信フレームの構造を示す図である。図３に示すように、送信フレーム（Ｔｒａｎｓｍｉｓｓｉｏｎ　Ｆｒａｍｅ）は、前から順番に同期チャンネル（Ｓｙｎｃｈｒｏｎｉｚａｔｉｏｎ　Ｃｈａｎｎｅｌ）、ＦＩＣ（Ｆａｓｔ　Ｉｎｆｏｒｍａｔｉｏｎ　Ｃｈａｎｎｅｌ）、ＭＳＣ（Ｍａｉｎ　Ｓｅｒｖｉｃｅ　Ｃｈａｎｎｅｌ）を有している。ＦＩＣは更に複数のＦＩＢ（Ｆａｓｔ　Ｉｎｆｏｒｍａｔｉｏｎ　Ｂｌｏｃｋ）から成る。また、ＭＳＣは複数のＣＩＦ（Ｃｏｍｍｏｎ　Ｉｎｔｅｒｌｅａｖｅｄ　Ｆｒａｍｅ）から成り、複数のサブチャンネルを有し、このサブチャンネルによってオーディオ及びサービス情報が伝送される。なお、ＤＡＢはモード１からモード４まで仕様が決められており、モードごとに送信フレームの時間（ｄｕｒａｔｉｏｎ）及び１送信フレーム内のＦＩＢ及びＣＩＦの個数が異なる。
【００１６】
図４は、図３に示したＦＩＢの構造図である。ＦＩＢは、全体で２５６ビットから成り、前部の３０バイトのＦＩＢデータ領域（ＦＩＢ　ｄａｔａ　ｆｉｅｌｄ）と後部の１６ビットのＣＲＣ（Ｃｙｃｌｉｃ　Ｒｅｄｕｎｄａｎｃｙ　Ｃｈｅｃｋ　ｗｏｒｄ）から成る。更にＦＩＢデータ領域は、前から順にＦＩＧ（Ｆｉｒｓｔ　Ｉｎｆｏｒｍａｔｉｏｎ　Ｇｒｏｕｐ）、１個のエンドマーカ（Ｅｎｄ　Ｍａｒｋｅｒ）、及び１個のＰａｄｄｉｎｇ（パッディング：ＦＩＢデータ領域をバイトに合わせるために残ったビットに０を入れること）から成る。ＦＩＧの部分は有用データ領域（Ｕｓｅｆｕｌ　ｄａｔａ　ｆｉｅｌｄ）を構成する。各ＦＩＧは、前から順番にＦＩＧタイプ、Ｌｅｎｇｔｈ（長さ：後続のＦＩＧデータ領域のビット長さを表す）、ＦＩＧデータ領域（ＦＩＧ　ｄａｔａ　ｆｉｅｌｄ）を備える。ＦＩＧタイプ及びＬｅｎｇｔｈはＦＩＧヘッダを構成する。
【００１７】
図５は、図４のＦＩＧタイプが０（３ビット２進表示では０００）のＦＩＧデータ領域の構造図である。ＦＩＧデータ領域は、前から順にＣ／Ｎ（Ｃｕｒｒｅｎｔ／Ｎｅｘｔ）、ＯＥ（Ｏｔｈｅｒ　Ｅｎｓｅｍｂｌｅ）、Ｐ／Ｄ（Ｐｒｏｇｒａｍｍｅ／Ｄａｔａ）、Ｅｘｔｅｎｓｉｏｎ、タイプ０領域（Ｔｙｐｅ　０　ｆｉｅｌｄ）を備える。以下、各ＦＩＧタイプとＥｘｔｅｎｓｉｏｎとを、ＦＩＧタイプ／Ｅｘｔｅｎｓｉｏｎの形式で表すことにする。
【００１８】
上記タイプ０領域のＦＩＧ０／９には、ＵＴＣ（Ｃｏｏｒｄｉｎａｔｅｄ　Ｕｎｉｖｅｒｓａｌ　Ｔｉｍｅ：協定世界時）の情報が格納され、ＦＩＧ０／１０には、ＤＡＢの電波の送信元である送信局の地域の局地的な時間情報であるＬＴＯ（Ｌｏｃａｌ　Ｔｉｍｅ　Ｏｆｆｓｅｔ）の情報が格納されている。
【００１９】
ＣＰＵ１１は、時刻データ表示処理において、図２に示すように、ＤＡＢアンテナ１７Ａから入射するＤＡＢの電波をＤＡＢ受信部１７によって復号化、Ａ／Ｄ変換等の処理を施して図５に示すようなＦＩＧデータ領域のタイプ０領域のデータを抽出する。ＣＰＵ１１は、記憶装置１４に記憶された時刻の設定方法に基づいて、タイプ０領域のＦＩＧ０／９に格納されたＵＴＣの時刻データ又はＦＩＧ０／１０に格納されたＬＴＯの時刻データを抽出する。
【００２０】
次いで、ＣＰＵ１１は、この抽出したＵＴＣ又はＬＴＯの時刻データを時計回路１５に出力して、時計回路１５により計時されている時刻データを上記ＵＴＣ又はＬＴＯの時刻データによって修正する。また、ＣＰＵ１１は、修正された時刻データを時計回路１５から表示部１３に出力させ、時刻データを表示部１３に表示させる。更に、ＣＰＵ１１は、入力部１２からの指示入力よってアンサンブルが変更されると、新たに指定されたアンサンブルの電波をＤＡＢ受信部１７により受信して、時刻データ表示処理を再び実行する。
【００２１】
入力部１２は、ＤＡＢ放送或いはその他のＣＤ、ＭＤ、又はカセットテープ等の選択、ＤＡＢのアンサンブルやサービスの選択、文字や数字の入力、指示切替等を指示する各種操作ボタンを備えて構成され、これら各種操作ボタンの押下信号をＣＰＵ１１に出力する。
【００２２】
表示部１３は、ＬＣＤ（Ｌｉｑｕｉｄ　Ｃｒｙｓｔａｌ　Ｄｉｓｐｌａｙ）パネル等により構成され、ＣＰＵ１１から入力される表示データに基づいて画面表示を行う。具体的には、表示部１３は、ＣＰＵ１１の指示により時計回路１５から入力される時刻データを表示する。
【００２３】
記憶装置１４は、プログラムやデータ等が予め記憶されている記録媒体（図示省略）を備え、この記録媒体内に、ＣＰＵ１１により実行されるＤＡＢ受信機用の各種アプリケーションプログラムや通信処理プログラム、及びその処理プログラムで処理されたデータ等を記憶する。具体的には、記憶装置１４は、ＣＰＵ１１による時刻データ表示処理において使用される時刻データ表示処理プログラムや、入力部１２からの指示入力により設定された時刻の設定方法のデータを記憶する。時刻の設定方法としては、ＵＴＣに基づいて時刻を設定する方法及びＬＴＯに基づいて時刻を設定する方法の２通りがある。
【００２４】
時計回路１５は、水晶発振器（図示省略）を備え、この発振器を分周回路（図示省略）により分周することにより、時間、分、秒単位のカウンタを計数歩進して計時を行い、時刻データをＣＰＵ１１の指示に従って表示部１３に出力する。また、時計回路１５は、ＣＰＵ１１からＤＡＢの電波に基づく時刻データが入力されると、計時中の時刻データを、ＣＰＵ１１により入力された時刻データに合わせて修正する。
【００２５】
音声発音部１６は、スピーカ（図示省略）を備え、ＣＰＵ１１によってＤＡＢ受信部１７又は音源駆動部１８から入力されるアナログ音声信号を増幅し、音声出力する。
【００２６】
ＤＡＢ受信部１７は、ＤＡＢアンテナ１７Ａを備え、このＤＡＢアンテナ１７ＡによってＤＡＢ送信局２からＤＡＢの電波を受信すると、セレクタ１９を介してＣＰＵ１１に出力する。
図２は、図１のＤＡＢ受信部１７の機能的構成を示すブロック図である。図２に示すように、ＤＡＢ受信部１７は、ＤＡＢアンテナ１７Ａ、ＲＦ部１７Ｂ、復調部１７Ｃ、チャンネルデコーダ１７Ｄ、オーディオデコーダ１７Ｅにより構成される。ＤＡＢ受信部１７において、ＤＡＢアンテナ１７Ａにより送信局からＤＡＢの電波を受信すると、ＲＦ部１７ＢはＤＡＢアンテナ１７Ａに入射する電波の中から、ＣＰＵ１１により指示される周波数の電波を選択し、これを検波、増幅したアナログ信号を復調部１７Ｃに出力する。
【００２７】
復調部１７Ｃは、ＲＦ部１７Ｂから入力されたアナログ信号をデジタル信号に変換し、更に高速フーリエ変換、ＩＱ復調、及びＤＱＰＳＫ復調等の処理により図３に示す送信フレームのデータを生成して、チャンネルデコーダ１７Ｄに出力する。チャンネルデコーダ１７Ｄは、デインターリーブ及び誤り訂正処理の回路を含み、ＣＰＵ１１からの指示に従って復調部１７Ｃから入力される送信フレームのデータからＦＩＣ及びＭＳＣを抽出し、ＦＩＣに含まれるＦＩＧのデータをＣＰＵ１１に出力するとともに、ＣＰＵ１１から指示があったＭＳＣのサブチャンネルのオーディオデータをオーディオデコーダ１７Ｅに出力する。
【００２８】
オーディオデコーダ１７Ｅは、チャンネルデコーダ１７Ｄから入力されるオーディオデータをＭＰＥＧ（Ｍｏｖｉｎｇ　Ｐｉｃｔｕｒｅ　Ｅｘｐｅｒｔｓ　Ｇｒｏｕｐ）に従って伸長し、Ｄ／Ａ変換によりアナログ音声信号を生成してＣＰＵ１１に出力する。ＣＰＵ１１は、オーディオデコーダ１７Ｅから入力されるアナログ音声信号を音声発音部１６に出力する。
【００２９】
音源駆動部１８は、例えばＣＤ（Ｃｏｍｐａｃｔ　Ｄｉｓｃ）、ＭＤ（Ｍｉｎｉ　Ｄｉｓｃ）、カセットテープ等の放送以外の音声を出力する再生装置（図示省略）を駆動する。音源駆動部１８は、ＣＰＵ１１によりセレクタ１９を介して、例えばＣＤを再生する指示が入力されると、再生装置を駆動してこの再生装置にセットされたＣＤから音声データを読み出し、Ｄ／Ａ変換してアナログ音声信号を生成し、ＣＰＵ１１に出力する。ＣＰＵ１１は、音源駆動部１８により入力されたアナログ音声信号をセレクタ１９を介して音声発音部１６に出力する。
【００３０】
セレクタ１９は、ＣＰＵ１１から入力される指示に従って、ＤＡＢ受信部１７から入力される音声信号と音源駆動部１８から入力される音声信号とを切り替え、この入力された音声信号を音声発音部１６に出力する。
【００３１】
次に、動作を説明する。
図６は、時刻データ表示処理を示すフローチャートである。図６に示すように、時刻データ表示処理において、ＣＰＵ１１は、ＤＡＢアンテナ１７Ａを介してＤＡＢの電波を受信したか否かを判別し（ステップＳ１）、ＤＡＢの電波を受信すると（ステップＳ１；ＹＥＳ）、ステップＳ２に移行し、受信しないと（ステップＳ１；ＮＯ）、ステップＳ６へ移行する。
【００３２】
ステップＳ２において、ＣＰＵ１１は、ＤＡＢ受信部１７によりＤＡＢの電波を検波、増幅させてアナログ信号を生成させた後にデジタル変換して復調させたデータから、ＦＩＧデータを抽出する。次いで、ＣＰＵ１１は、記憶装置１４に記憶された時刻の設定方法のデータを読み出して時刻の設定方法を判別し（ステップＳ３）、ＬＴＯに基づいて時刻を設定する場合には（ステップＳ３；ＬＴＯ）、ＦＩＧデータのＦＩＧ０／９内に格納されたＬＴＯの時刻データを抽出して時計回路１５に出力し、時計回路１５の時刻を修正し（ステップＳ４）、ステップＳ６へ移行する。
【００３３】
一方、ＣＰＵ１１は、ステップＳ３において記憶装置１４に記憶された時刻の設定方法のデータを読み出し、ＵＴＣに基づいて時刻を設定する場合には（ステップＳ３；ＵＴＣ）、ＤＡＢ受信部１７から入力されるＦＩＧデータのＦＩＧ０／１０内に格納されたＵＴＣの時刻データを抽出して時計回路１５に出力して、時計回路１５の時刻を修正し（ステップＳ５）、ステップＳ６へ移行する。
【００３４】
次いで、ＣＰＵ１１は、修正した時刻データを時計回路１５から表示部１３に出力して時刻を表示させる（ステップＳ６）。続いて、入力部１２を介してアンサンブルを変更する指示が入力されたか否かを判別し（ステップＳ７）、アンサンブル変更の指示入力がなければ（ステップＳ７；ＮＯ）、待機を続け、指示入力があると（ステップＳ７；ＹＥＳ）、ＤＡＢ受信部１７によって受信するアンサンブルを変更して（ステップＳ８）、ステップＳ１に戻る。
【００３５】
以上説明したように、本発明を適用したＤＡＢ受信機１のＣＰＵ１１は、時刻データ表示処理において、ＤＡＢの電波を受信すると、ＤＡＢ受信部１７によりこの電波に復調処理やデジタル変換処理を施してＦＩＢデータを取得し、記憶装置１４に記憶された時刻の設定方法のデータに従ってＦＩＢデータからＬＴＯまたはＵＴＣのデータを抽出する。そして、この抽出したデータにより時計回路１５により計時された時刻データを修正し、修正後の時刻データを表示部１３に表示させる。なお、入力部１２を介してアンサンブルを変更する指示入力があった場合には、受信するアンサンブルを変更し、時刻データ表示処理を最初から再実行する。
【００３６】
したがって、本発明によれば、デジタル多重化放送の受信装置において、装置内の時計機能により計時される時刻データをＤＡＢ放送の電波から得られる時刻データに合わせて自動的に修正できるため、装置内の時刻データとＤＡＢにより得られる時刻データとが異なることがないため、混乱を避けることができる。また、デジタル多重化放送受信装置内の時計機能による計時に誤差が生じた場合に、手動で時刻合わせを行う必要がないため、煩雑な時刻合わせの作業を省略することができる。
【００３７】
なお、本発明は上記実施の形態に限定されるものではなく、本発明の趣旨を逸脱しない範囲で適宜変更可能である。例えば、上記実施の形態における時刻データ表示処理のＯＮ／ＯＦＦ設定を可能にして、ＯＮ設定である場合にのみ時刻データ表示処理を実行するようにしてもよい。
【００３８】
また、上記実施の形態においては、時刻の設定方法は、ＬＴＯに基づく方法及びＵＴＣに基づく方法の２通りがあると説明したが、これ以外の時刻の設定方法を記憶装置１４に記憶させてもよい。例えば、ＤＡＢ受信機１の現在位置に関わらず、ユーザが知りたい任意の地域（例えば、自宅がある地域）の局地的時間に合わせた時刻を表示部１３に表示させる時刻設定方法を記憶装置１４に記憶させ、ＣＰＵ１１がＵＴＣと任意の地域における時間との時差に基づいて任意の地域における現在の時刻を算出し、時計回路１５の時刻データを修正するように構成してもよい。
【００３９】
更に、上記実施の形態においては、ＬＴＯの時刻又はＵＴＣの時刻を表示することとしたが、これらの時刻を同時に表示させることも勿論可能である。
【００４０】
その他、本実施の形態におけるＤＡＢ受信機１の細部構成、及び詳細動作に関しても、本発明の趣旨を逸脱しない範囲で適宜変更可能である。
【００４１】
【発明の効果】
本発明を適用したデジタル多重化放送を受信する受信装置によれば、内蔵された時計機能の時刻を自動的に補正して、ユーザの混乱を解消するとともに、時刻合わせの手間を省くことができる。
【図面の簡単な説明】
【図１】本発明の一実施の形態によるＤＡＢ受信機１の機能的構成を示すブロック図である。
【図２】図１のＤＡＢ受信部１７の機能的構成を示すブロック図である。
【図３】ＤＡＢの送信フレームの構造を示す図である。
【図４】図３のＦＩＢの構造図である。
【図５】図４のＦＩＧタイプが０のＦＩＧデータ領域の構造図である。
【図６】図１のＣＰＵ１１による時刻データ表示処理を示すフローチャートである。
【符号の説明】
１　　ＤＡＢ受信機
２　　ＤＡＢ送信局
１１　ＣＰＵ
１２　入力部
１３　表示部
１４　記憶装置
１５　時計回路
１６　音声発音部
１７　ＤＡＢ受信部
１７Ａ　ＤＡＢアンテナ
１７Ｂ　ＲＦ部
１７Ｃ　復調部
１７Ｄ　チャンネルデコーダ
１７Ｅ　オーディオデコーダ
１８　音源駆動部
１９　セレクタ
２０　バス
【図１】
2004056618.tif 000003
【図２】
2004056618.tif 000004
【図３】
2004056618.tif 000005
【図４】
2004056618.tif 000006
【図５】
2004056618.tif 000007
【図６】
2004056618.tif 000008